(57)【要約】【課題】スーツケースベルトの有無に関係が無く、鞄が自分のものであるか否かを、容易に識別することができる鞄を提供する。【解決手段】鞄１０の構成要素に、文字、図形、記号若しくはこれらの結合体からなり持ち主を識別することができる識別体２０を付す。【効果】識別体が鞄自体に付されているため、スーツケースベルトの有無に関係が無く、鞄が自分のものであるか否かを、容易に識別することができる。また、識別体が直接的に付された鞄は、いわゆるマイバッグとなり、世界に１つしかない物となる。【選択図】図１
0003205133.tif 000002
【実用新案登録請求の範囲】
【請求項１】
文字、図形、記号若しくはこれらの結合体からなり持ち主を識別することができる識別体が、外から見える部位に付されていることを特徴とする鞄。
【請求項２】
請求項１記載の鞄は、一般面から外へ張り出す突起部を有し、この突起部で保護される部位に前記識別体が付されていることを特徴とする鞄。
【請求項３】
前記部位に、前記識別体が彫られていることを特徴とする請求項１又は請求項２記載の鞄。
【請求項４】
前記部位に、前記識別体を覆う透明カバーが付されていることを特徴とする請求項３記載の鞄。
【請求項５】
裏面に前記識別体が反転された形態で付された透明フィルム又は透明プレートが、おもて面が外に向くようにして前記部位に、付されていることを特徴とする請求項１又は請求項２記載の鞄。
【考案の詳細な説明】
【技術分野】
【０００１】
本考案は、ビジネスや旅行等で持ち運ぶ鞄に関するものである。
【背景技術】
【０００２】
旅行の際に、手荷物を預け、到着地で受け取ることがよくある。例えば、空港ではターンテーブル上に、多数の手荷物が載っている。似たような色や大きさの手荷物の中から自己の手荷物を素早く探すには目印や名前が有効である。
そこで、旅行用の鞄に名前などを付けることができる構造が、各種提案されてきた（例えば、特許文献１（図３）、特許文献２（図３）参照）。
【０００３】
特許文献１の図３に示されように、鞄にベルト本体（１）（括弧付き数字は、特許文献１に記載された符号を示す。以下同様）を巻くことで、鞄の膨らみを防止する。
ベルト本体（１）に名刺ケース（２）が付属されている。名刺ケース（２）に名刺などの名札を入れることで、鞄が自分のものであるか否かを、容易に識別することができる。
【０００４】
特許文献２の図３に示されように、鞄（３）（括弧付き数字は、特許文献２に記載された符号を示す。以下同様）にベルト本体（１）を巻くことで、鞄の膨らみを防止する。
ベルト本体（１）に識別表示体（４）が付属されている。識別表示体（４）にネームプレートを入れることで、鞄が自分のものであるか否かを、容易に識別することができる。
このように、従来は、いわゆるスーツケースベルト（ベルト本体）に、名札やネームプレートを着脱可能に取り付けてきた。
【０００５】
貨物室では鞄の上に鞄を積み上げる。そして、鞄は上から順に搬出される。この際に、スーツケースベルト（ベルト本体）が切れて、鞄から外れることがある。すると、ベルト本体（１）が付いていない鞄がターンテーブルに載せられることになる。
ベルト本体（１）が付いていないため、鞄の識別が難しくなる。
【０００６】
大型の鞄を持っての旅行が盛んになる中、スーツケースベルト（ベルト本体）の有無に関係が無く、鞄が自分のものであるか否かを、容易に識別することができる構造が求められる。
【先行技術文献】
【特許文献】
【０００７】
【特許文献１】実用新案登録第３０４３６７５号公報
【特許文献２】特開平１１−１０３９２６号公報
【考案の概要】
【考案が解決しようとする課題】
【０００８】
本考案は、スーツケースベルト（ベルト本体）の有無に関係が無く、鞄が自分のものであるか否かを、容易に識別することができる鞄を提供することを課題とする。
【課題を解決するための手段】
【０００９】
請求項１に係る考案は、文字、図形、記号若しくはこれらの結合体からなり持ち主を識別することができる識別体が、外から見える部位に付されていることを特徴とする鞄を提供する。
【００１０】
請求項２に係る考案では、請求項１記載の鞄は、一般面から外へ張り出す突起部を有し、この突起部で保護される部位に識別体が付されていることを特徴とする。
【００１１】
請求項３に係る考案では、部位に、識別体が彫られていることを特徴とする。
【００１２】
請求項４に係る考案では、部位に、識別体を覆う透明カバーが付されていることを特徴とする。
【００１３】
請求項５に係る考案では、裏面に識別体が反転された形態で付された透明フィルム又は透明プレートが、おもて面が外に向くようにして部位に、付されていることを特徴とする。
【考案の効果】
【００１４】
請求項１に係る考案では、識別体が鞄自体に付されているため、スーツケースベルト（ベルト本体）の有無に関係が無く、鞄が自分のものであるか否かを、容易に識別することができる。
また、識別体が直接的に付された鞄は、いわゆるマイバッグとなり、世界に１つしかない物となる。
【００１５】
請求項２に係る考案では突起部で保護される部位に識別体が付されているため、自己の鞄に接する他人の鞄などが識別体に接触する心配はない。接触しないため、識別体が傷む心配はなく。識別体が綺麗なままとなり、美観性が保たれる。
【００１６】
請求項３に係る考案では、識別体は、鞄自体に彫られている。プリントやスタンプに比較して、彫られた文字などは深みがあり、高級感がある。
また、万一、他の物品が鞄に触れても識別体が傷む心配はない。識別体が長期間にわたって識別性能を発揮する。
【００１７】
請求項４に係る考案では、部位に、識別体を覆う透明カバーが付されている。万一、他の物品が鞄に触れても透明カバーが保護作用を発揮するため、識別体が傷む心配はない。識別体が長期間にわたって識別性能を発揮する。
【００１８】
請求項５に係る考案では、裏面に識別体が反転された形態で付された透明フィルム又は透明プレートが、おもて面が外に向くようにして部位に、付されている。透明フィルム（又は透明プレート）自体が識別体を保護する保護カバーの役割を果たす。識別体を覆う透明カバーが不要となり、部品点数の削減が図れる。
【図面の簡単な説明】
【００１９】
【図１】本考案に係る鞄の斜視図である。
【図２】図１の２ａ〜２ｂ部拡大図である。
【図３】図２の３−３線断面図である。
【図４】本考案に係る識別体の別の形態を説明する図である。
【図５】図４の５ａ矢視図兼本考案に係る識別体のさらなる別の形態を説明する図である。
【図６】識別体の別の形態を説明する図である。
【考案を実施するための形態】
【００２０】
本考案の実施の形態を添付図に基づいて以下に説明する。
【実施例】
【００２１】
図１に示すように、鞄１０は、例えば、ケース本体１１と、このケース本体１１の開口を塞ぐ蓋体１２とからなる旅行鞄である。
ケース本体１１の開口縁に、金属又は硬質樹脂からなる丈夫なフレーム１３が取り付けられ、この丈夫なフレーム１３に第１取っ手１４と、第２取っ手１５とが取り付けられている。鞄１０の種類によっては、ケース本体１１に引き出し収納自在の第３取っ手１６を設ける。
【００２２】
図１の２ａ部拡大図を図２（ａ）で示し、図１の２ｂ部拡大図を図２（ｂ）で示す。
図２（ａ）に示すように、第１取っ手１４の範囲内にて、フレーム１３に、  平仮名文字２１からなる識別体２０が彫られている。また、第１取っ手１４の近傍にて、フレーム１３に、アラビヤ数字２２からなる識別体２０が彫られている。
また、図２（ｂ）に示すように、第２取っ手１５の範囲内にて、フレーム１３に、英文字２３からなる識別体２０が彫られている。
【００２３】
識別体２０は、レーザー光で、フレーム１３に彫り込むことが推奨される。レーザーであれば、照射時間の長短や照射強度の大小で、彫り込み深さが容易に変更できる。又は、識別体２０は、細かいエンドミル等の切削工具で、フレーム１３に彫ってもよい。したがって、識別体２０は、レーザー照射、切削、その他の任意の工法で形成することができる。
【００２４】
識別体２０は、彫り込む他、プリントやスタンプや筆書きであってもよい。ただし、彫り込む方が、文字等の深みが増し、識別体２０の高級感が高まり、鞄１０の高級感を促すため、より推奨される。
【００２５】
平仮名文字２１を名前（漢字表記、アルファベット表記は問わない。）、アラビヤ数字２２を電話番号や自分の好きな数の組み合わせ、英文字２３を地名や国名（漢字表記、アルファベット表記は問わない。）とすれば、ターンテーブル上や荷台上の鞄１０を迅速に発見することができる。
【００２６】
しかも、鞄１０に直接識別体２０を付してあるため、いわゆるマイバックとして愛着が深まる。加えて、鞄１０に直接識別体２０を付してあるため、スーツケースベルト（ベルト本体）の有無に関係が無く、鞄１０が自分のものであるか否かを、容易に識別することができる。
【００２７】
図２の３−３線断面を図３に示す。
図３に示すように、フレーム１３は、底部２５と、この底部２５から延びる壁２６とからなるＬ形状を呈する。識別体２０は底部２５に付される。壁２６の先端が、鞄１０の一般面２７から外へ張り出す突起部２８となる。
【００２８】
仮に、想像線で示すような他人の鞄１０Ｂが、自己の鞄１０に接触しても、突起部２８が保護作用を発揮し、他人の鞄１０Ｂが識別体２０に接触する心配がない。
もし、他人の鞄１０Ｂが底部２５に接触すると、底部２５が傷付き、この傷が深い場合には識別体２０も傷つく。本考案では、突起部２８が保護作用を発揮するため、底部２５は綺麗なままとなり、識別体２０も綺麗なままとなり、外観性が維持される。
【００２９】
図２（ａ）において、平仮名文字２１からなる識別体２０は、第１取っ手１４を回転可能に支持する突起部２８、２８で保護される。
また、図２（ｂ）において、英文字２３からなる識別体２０は、第２取っ手１５を回転可能に支持する突起部２８、２８で保護される。
【００３０】
以上の例では、識別体２０をフレーム１３に付したが、識別体２０は鞄１０を構成する任意の要素に付すことができる。その具体例を以下に説明する。
図４（ａ）に示すように、ケース本体１１に引き出し収納自在とされる第３取っ手１６に付すこともできる。すなわち、図４（ａ）のｂ部拡大図である図４（ｂ）に示すように、第３取っ手１６を構成するバー２９の外面に平仮名文字２１からなる識別体２０を付す。
【００３１】
第３取っ手１６は、段積みされる場合は、バー２９がケース本体１１に収納されるため、他人の鞄などで、識別体２０が傷む心配はない。
しかし、キャリア３１を床３２に当て、第３取っ手１６を引きながら、鞄１０を移動するときに、識別体２０が、何かに触れる心配はある。
そこで、好ましくは、図４（ｃ）に示すように、識別体２０を透明カバー３３で覆うことが推奨される。透明カバー３３を貼る手間は発生するが、透明カバー３３が識別体２０を保護する役割を果たす。
【００３２】
図４（ａ）の５ａ矢視図を図５（ａ）に示す。
図５（ａ）に示すように、蓋体１２はケース本体１１に、複数のヒンジ３４で連結される。ヒンジ３４は金属、好ましくは軽金属で構成されるが、硬質樹脂であっても良い。
図５（ａ）のｂ部拡大図を図５（ｂ）に示し、図５（ａ）のｃ部拡大図を図５（ｃ）に示し、図５（ａ）のｄ部拡大図を図５（ｄ）に示す。
【００３３】
図５（ｂ）に示すように、ヒンジ３４は、フレーム１３及び蓋側フレーム３５に、六角穴付きボルト３６で固定される。六角穴付きボルト３６は、六角レンチを嵌めるため、頭が大きく、この頭が図面手前側に張り出す。この張り出しが突起部２８を兼ねる。突起部２８、２８を兼ねるボルト３６とボルト３６の間にてヒンジ３４に平仮名文字２１からなる識別体２０を付す。この識別体２０は、突起部２８、２８を兼ねるボルト３６、３６により他人の鞄などから保護される。
【００３４】
図５（ｃ）に示すように、突起部２８、２８を兼ねるボルト３６とボルト３６の間にてヒンジ３４にアラビヤ数字２２からなる識別体２０を付す。この識別体２０は、突起部２８、２８を兼ねるボルト３６、３６により他人の鞄などから保護される。
【００３５】
図５（ｄ）に示すように、突起部２８、２８を兼ねるボルト３６とボルト３６の間にてヒンジに英文字２３からなる識別体２０を付す。この識別体２０は、突起部２８、２８を兼ねるボルト３６、３６により他人の鞄などから保護される。
【００３６】
以上の例では、鞄１０を構成する要素に、識別体２０を直接彫った。この場合、識別体２０を付す工程が重要になる。
カタログ販売や陳列販売において、カタログ見本や陳列見本には、識別体２０の見本が付されている。顧客に識別体２０を決めて貰った上で注文を受ける。
【００３７】
鞄製造工場では、注文を受けてから、単品状態でのフレーム１３、ヒンジ３４又はバー２９に識別体２０を付す。次に、構成要素を組立てることで鞄１０にする（第１の製法という）。
【００３８】
また、鞄製造工場では、識別体２０を付していない鞄を見込み生産し、在庫する。注文を受けたら、組立った状態でのフレーム１３、ヒンジ３４又はバー２９に識別体２０を付して鞄１０にする（第２の製法という）。
【００３９】
コストの点からは第２の製法が勧められる。しかし、鞄１０が大きい場合には、鞄１０をレーザーマシンや切削マシンにセットするには工数が嵩む。対策として第１の製法を採用すると部品の在庫が多量となり、在庫部品の保管にコストが嵩む。
そこで、第１の製法や第２の製法に代わる第３の製法による鞄１０の例を次に説明する。
【００４０】
図６（ａ）に示すように、裏面３８ａに識別体２０が反転された形態で付された透明プレート３８を準備する。識別体２０は透明プレート３８の裏面３８ａに彫ることが望まれるが、プリント、スタンプであってもよい。
そして、図６（ｂ）に示すように、鞄１０の構成要素（この例ではフレーム１３）に、おもて面３８ｂが外に向くようにして透明プレート３８を貼り付ける。貼り付けは、強力接着剤で行う。強力接着剤であれば、透明プレート３８が剥がれる心配はない。
【００４１】
透明プレート３８は透明フィルムでも差し支えない。透明は半透明や着色をも含む。要は識別体２０が視認できればよい。
【００４２】
図６（ｂ）に示すように、透明プレート３８自体が識別体２０の保護作用を発揮する。その上、透明プレート３８は、在庫した鞄に注文を受けた後に貼り付けることができる（第３の製法）。
【００４３】
尚、鞄１０は、旅行用スーツケースの他、アタッシュケース、通常の鞄であってもよく、種類は任意である。
【００４４】
また、識別体２０は、文字の他、ロゴやバーコードやＱＲコード（登録商標）のような図形でもよく、要は持ち主が特定（識別）できるものであればよい。すなわち、識別体２０は、文字、図形、記号若しくはこれらの結合体からなる。英文字はアラビヤ文字、ロシヤ語、ハングルなど民族固有の文字であってもよい。
【００４５】
また、夫婦やカップルが一対揃える場合、識別体２０は、二人だけが認識できる印、シンボル、記念日、記念の場所、記念の国などであってもよい。この場合は、鞄１０は相手へのプレゼントとなり、思い出の品となり得る。
【産業上の利用可能性】
【００４６】
本考案の鞄は、ビジネスや旅行に使用する鞄に好適である。
【符号の説明】
【００４７】
１０…鞄
１１…ケース本体
１２…蓋体
２０…識別体
２１…平仮名文字
２２…アラビヤ数字
２３…英文字
２７…一般面
２８…突起部
３３…透明カバー
３８…透明プレート
３８ａ…透明プレートの裏面
３８ｂ…透明プレートのおもて面
【図１】
0003205133.tif 000003
【図２】
0003205133.tif 000004
【図３】
0003205133.tif 000005
【図４】
0003205133.tif 000006
【図５】
0003205133.tif 000007
【図６】
0003205133.tif 000008